(57)【特許請求の範囲】
【請求項１】
長尺で板状の導体材料からなる下部電極板の外周に、押出し加工により、均一な厚みで長尺の絶縁材を被覆する工程と、
前記絶縁材における下部電極板の上側にその長さ方向に沿って平行配置の剥離用の溝を２箇所形成する工程と、
前記下部電極板の上側における絶縁材の前記２箇所の各溝間の領域を下部電極板の長さ方向に沿って剥離し、下部電極板の上側に開口部を形成する工程と、
前記開口部が形成された下部電極板上の絶縁材の上に、長尺で板状の導体材料からなる上部電極板を重ねる工程と、
絶縁材の押出し成型加工により、前記絶縁材、上部電極板の外周全体に、上部に長さ方向に沿った凸部を備えた外被を形成する工程と、
を有することを特徴とする長尺スイッチの製造方法。
【発明の詳細な説明】
【発明の属する技術分野】
本発明は、物体の接触検知等に使用される耐久性に優れた長尺スイッチの製造方法に関するものである。
【従来の技術】
従来におけるこの種の長尺スイッチの一例を添付する図７、図８を参照して説明する。
図７、図８に示す長尺スイッチは、長尺で板状の導体材料からなる下部電極板２１と、長尺で板状の導体材料からなる上部電極板２２と、内壁両側面に下部電極板２１、上部電極板２２の間に空間部２３を形成するための対称形状の一対の突起部２４ａ、２４ｂを備え底部側が開口した長尺の絶縁材料からなる長尺の外被２４と、前記下部電極板２１、上部電極板２２を一体化するために外被２４の外周に交叉状態に巻回した例えば２本の糸材２５と、下部電極板２１の底面側において糸材２５上に長手方向に沿って貼り付けた貼り付け固定用の長尺の粘着テープ２６とを有している。
即ち、前記外被２４における一対の突起部２４ａ、２４ｂと内壁上面２４ｃとの間に上部電極板２２を挟みこむとともに、一対の突起部２４ａ、２４ｂの下側に下部電極板２１を添着し、この状態で２本の糸材２５による交叉状態の巻回工程を施して、下部電極板２１、上部電極板２２を一体化している。
前記外被２４の上部の中央部には、凸部２４ｄが形成され、この凸部２４ｄを足等で踏み、凸部２４ｄを介して上部電極板２２に変形力を付与して空間部２３の領域で上部電極板２２を変形させることで、下部電極板２１、上部電極板２２によるスイッチ動作を行うように構成している。
【発明が解決しようとする課題】
しかしながら、上述した従来の長尺スイッチの場合、下部電極板２１、上部電極板２２を長尺の外被２４を用いて両者の間に空間部２３が形成される状態とし、この状態で２本の糸材２５による交叉状態の巻回工程を施して下部電極板２１、上部電極板２２を一体化するものであるから、製造工程が煩雑化し、長尺スイッチのコスト上昇を招いてしまうという問題があった。
本発明は、上記事情に鑑みてなされたものであり、製造工程が簡略で、製造コストの低減を図ることができ、耐久性に優れた長尺スイッチを得ることができる製造方法を提供する。
【課題を解決するための手段】
請求項１記載に係る発明の長尺スイッチの製造方法は、長尺で板状の導体材料からなる下部電極板の外周に、押出し加工により、均一な厚みで長尺の絶縁材を被覆する工程と、前記絶縁材における下部電極板の上側にその長さ方向に沿って平行配置の剥離用の溝を２箇所形成する工程と、前記下部電極板の上側における絶縁材の前記２箇所の各溝間の領域を下部電極板の長さ方向に沿って剥離し、下部電極板の上側に開口部を形成する工程と、前記開口部が形成された下部電極板上の絶縁材の上に、長尺で板状の導体材料からなる上部電極板を重ねる工程と、絶縁材の押出し成型加工により、前記絶縁材、上部電極板の外周全体に、上部に長さ方向に沿った凸部を備えた外被を形成する工程と、を有することを特徴とするものである。
この発明によれば、長尺で板状の導体材料からなる下部電極板の外周に、押出し加工により、均一な厚みで長尺の絶縁材を被覆し、絶縁材に剥離用の溝を２箇所形成し、前記２箇所の溝の間の領域を長さ方向に沿って剥離して下部電極板の上側に開口部を形成し、下部電極板上の絶縁材の上に、長尺で板状の導体材料からなる上部電極板を重ね、絶縁材の押出し成型加工により、前記絶縁材、上部電極板の外周全体に、上部に凸部を備えた外被を形成して長尺スイッチを得るものであるから、従来例に比べ製造工程が簡略化し、製造コストの低減を図りつつ耐久性に優れた長尺スイッチを得ることができる製造方法を提供できる。
【発明の実施の形態】
以下に、本発明の実施の形態を詳細に説明する。
図１は、本発明における実施の形態の製造方法から製造される長尺スイッチ１を示すものであり、この長尺スイッチ１は、長尺で板状の導体材料からなる下部電極板２と、この下部電極板２の外周を開口部２ａの領域を除いて覆う長尺の絶縁材３と、開口部２ａ上に重ねた長尺で板状の導体材料からなる上部電極板４と、上端側に凸部５ａを備えるとともに、前記絶縁材３及び上部電極板４の外周を覆う長尺の絶縁材料からなる外被５とを有している。
本実施の形態に係る長尺スイッチ１の製造方法について以下に説明する。
まず、図２に示すように、長尺で板状の導体材料からなる下部電極板２の外周に、押出し加工により、均一な厚みで長尺の絶縁材３を被覆する。
そして、図３に示すように、下部電極板２の上側にその長さ方向に沿った開口部２ａを形成するため、ダイスによりＶ字状の溝３ａ、３ａを下部電極板２の長さ方向に沿って平行配置に２箇所形成する。この工程はカッター等を用いてスリットしても良い。この場合、開口部２ａのスリット巾により長尺スイッチの押圧感度を変えることが可能である。
次に、図４に示すように、下部電極板２の上部の絶縁材３の一部（Ｖ字状の溝３ａ、３ａの間の領域）を長さ方向に沿って剥離し、下部電極板２の上側に接点用の開口部２ａを形成する。
次に、図５に示すように、開口部２ａが形成された下部電極板２上の絶縁材３の上に、長尺で板状の導体材料からなる上部電極板４を重ね、更に、これらを図示しないニップルに挿入し、ニップルと図示しないダイスの隙間から絶縁材を押出し、図６に示すように、前記絶縁材３、上部電極板４の外周全体に、上部中央部分に長さ方向に沿った凸部５ａを備えた外被５を形成し、図１、図６に示す長尺スイッチ１を得るものである。
この場合、本発明においては、前記ダイスの形状を変えることにより、様々な断面形状をした長尺スイッチ１を得ることができる。
以上説明した本実施の形態に係る製造方法によれば、下部電極板２、上部電極板４の間にスイッチ動作用の空間領域となる開口部２ａを形成しつつこれら下部電極板２、上部電極板４を定位置に強固に保持することができる長尺スイッチ１を実現でき、前記した従来例の長尺スイッチに比べ製造工程を簡略化でき、製造コストの低減を図りつつ耐久性に優れた長尺スイッチ１を得ることができる製造方法を提供できる。
【発明の効果】
以上詳述した本発明によれば、以下の効果を奏する。
すなわち、請求項１記載の発明によれば、製造工程を簡略化でき、製造コストの低減を図りつつ耐久性に優れた長尺スイッチを得ることができる長尺スイッチの製造方法を提供することができる。
【図面の簡単な説明】
【図１】  本発明の実施の形態に係る製造方法から製造される長尺スイッチを示す斜視図である。
【図２】  本発明の実施の形態に係る製造方法から製造される長尺スイッチの製造工程を示す断面図である。
【図３】  本発明の実施の形態に係る製造方法から製造される長尺スイッチの製造工程を示す断面図である。
【図４】  本発明の実施の形態に係る製造方法から製造される長尺スイッチの製造工程を示す断面図である。
【図５】  本発明の実施の形態に係る製造方法から製造される長尺スイッチの製造工程を示す断面図である。
【図６】  本発明の実施の形態に係る製造方法から製造される長尺スイッチを示す断面図である。
【図７】  従来の長尺スイッチを示す平面図である。
【図８】  図７のＡ−Ａ線拡大断面図である。
【符号の説明】
１    長尺スイッチ
２    下部電極板
２ａ  開口部
３    絶縁材
４    上部電極板
５    外被
５ａ  凸部
【図１】
0004499215.tif 000002
【図２】
0004499215.tif 000003
【図３】
0004499215.tif 000004
【図４】
0004499215.tif 000005
【図５】
0004499215.tif 000006
【図６】
0004499215.tif 000007
【図７】
0004499215.tif 000008
【図８】
0004499215.tif 000009